(57)【要約】【課題】  エレベータの乗りかごへ貨物の搬入・搬出をおこなう作業者等の利用者に対して、乗りかごの扉の開閉状況を確実に知らせることができるエレベータ扉の報知装置とその報知方法を提供すること。【解決手段】  乗りかご１の内部の照明装置７を、照明色の異なる複数の照明光源８、９で構成し、それぞれの照明時間は、乗りかご１の扉２の開閉と連動して動作するタイマ１２に設定された時間により制御する。【選択図】  図３
2005067836.tif 000002
【特許請求の範囲】
【請求項１】
エレベータの乗りかご内に設けられこの乗りかご内を照明する照明装置と、この照明装置の照明を制御する照明制御部とを具備したエレベータ扉の報知装置であって、
前記照明装置は照明色の異なる複数の照明光源を有し、かつ、前記照明制御部は、前記乗りかごの扉の開閉にもとづいて動作するタイマと、このタイマの動作により前記照明光源の点灯を制御する照明切替部とを有していることを特徴とするエレベータ扉の報知装置。
【請求項２】
前記照明色の異なる複数の照明光源は、前記乗りかご内の通常照明光源と戸閉予告光源とであることを特徴とする請求項１記載のエレベータ扉の報知装置。
【請求項３】
前記照明色の異なる複数の照明光源は、白色光源と赤色光源であることを特徴とする請求項１記載のエレベータ扉の報知装置。
【請求項４】
前記タイマの動作により前記照明光源の点灯を制御する照明切替部により制御されて切替わる照明光源は、白色光源から赤色光源へ切替わることを特徴とする請求項３記載のエレベータ扉の報知装置。
【請求項５】
前記白色光源から前記赤色光源へ切替えるために前記タイマに設定された時間は、前記乗りかごの扉が閉まるより以前の所定の時間に設定されていることを特徴とする請求項４記載のエレベータ扉の報知装置。
【請求項６】
エレベータの乗りかご内に設けられこの乗りかご内を照明する照明装置を制御することによりエレベータ扉の開閉状態を報知するエレベータ扉の報知方法であって、
前記照明装置は、照明色の異なる複数の照明光源を具備し、それぞれの照明時間は、前記乗りかごの扉の開閉にもづいて動作するタイマに設定された時間により制御されて切替わることを特徴とするエレベータ扉の報知方法。
【請求項７】
前記タイマに設定された時間によりにより制御されて切替わる照明光源は、通常照明光源から戸閉予告光源へ切替わることを特徴とする請求項６記載のエレベータ扉の報知方法。
【請求項８】
前記タイマに設定された時間によりにより制御されて切替わる照明光源は、白色光源から赤色光源へ切替わることを特徴とする請求項６記載のエレベータ扉の報知方法。
【発明の詳細な説明】
【技術分野】
【０００１】
本発明は、エレベータの利用者に対して、乗りかごの扉の開閉状態を確実に報知することのできるエレベータ扉の報知装置とその報知方法に関する。
【背景技術】
【０００２】
例えば、工場で用いられている貨物用のエレベータでは、作業者がフォークリフト等によりエレベータの乗りかごの中に、貨物を積み込んだり積み下ろしたりの搬入・搬出作業を行っている。それらの搬入・搬出作業は、原則としてエレベータの乗りかごが所定のフロアに到着し、乗りかごの扉が開いている状態の時間内で行うことが要求される。そのため、作業中の作業者には、乗りかごの扉が戸閉するまでの持ち時間の状態を知らせる必要がある。
【０００３】
作業者に乗りかごの扉が戸閉するまでの持ち時間の状態を知らせるためには、例えば、建築用工事現場で多種機材の搬入搬出専用に用いられているエレベータでは、乗りかごにスピーカーと音声発信機とを具備した音声報知装置が設けられている。その音声報知装置により、エレベータの乗りかごの扉の開閉等についての注意事項を音声で報知している。（例えば、特許文献１を参照）
また、自動車等を積載するエレベータでも、自動車が乗りかごの扉に挟まれないように、あるいは、自動車が扉にぶつかり、エレベータの乗りかごの扉を破損したりしないように、ブザーやベル音により扉閉を予め報知した後に、扉閉動作を開始するよう構成されている技術が開示されている。（例えば、特許文献２を参照）
さらに、自動車等を積載するエレベータでは、複数のランプを有する照明装置をエレベータ乗りかご内に備え、照明装置のランプの一部を消灯することにより、扉の閉扉を予告する扉閉予告手段を備えたことが開示されている。この場合は、エレベータ乗りかご扉が閉扉開始する前に、乗りかご内照明の一部が消灯するため、周囲の騒音とは無関係に扉の閉扉をエレベータ利用者に確実に知らせることができる。又、乗りかご内の照明装置を利用して報知を行うため、既設のエレベータに採用する場合においても、特別な表示装置を追加せずに取り付けることができる。（例えば、特許文献２を参照）
また、エレベータの乗りかごの天井部に、白色と青色の照明光源および点光源を設けて、各光源に接続された時間の経過に伴って白色光から青色光に漸次色変えすることが開示されている。（例えば、特許文献３を参照）
【特許文献１】実開平７−４０６６４号公報  （段落番号０００２）
【特許文献２】特開平５−２８６６７５号公報  （段落番号０００２、段落番号００１３〜００１７）
【特許文献３】実開平１−８３７７８号公報  （第１頁）
【発明の開示】
【発明が解決しようとする課題】
【０００４】
しかしながら、作業者に乗りかごの扉が戸閉するまでの持ち時間の概要を知らせるために、音声を用いる方法では、工場のように周囲の騒音が大きい環境の場所では、音声を聞き取れない場合が発生する。特に、自動車を搬入・搬出する際には、自動車のエンジン音等の騒音により作業者は音声を正確に聞き取ることは困難である。
【０００５】
また、乗りかご内の照明装置のランプの一部を消灯することによって、扉閉を予告の方法では、扉が開いた状態では乗りかご内部には、周囲からの照明光等が入り込んでいるため、ランプの一部を消灯しても、それを必ず明瞭に識別できるとは限らない。
【０００６】
また、エレベータの乗りかごの天井部に、白色と青色の照明光源および点光源を設け、各光源に接続された時間の経過に伴って白色光から青色光に漸次色変えすることは、単に乗りかご内の照明を変えるだけで、エレベータの扉の開閉を報知することとの関連性は何ら示されていない。
【０００７】
本発明はこれらの事情にもとづいてなされたもので、エレベータの乗りかごへ貨物の搬入・搬出をおこなう作業者等の利用者に対して、乗りかごの扉の開閉状況を確実に知らせることができるエレベータ扉の報知装置とその報知方法を提供することを目的としている。
【課題を解決するための手段】
【０００８】
本発明によれば、エレベータの乗りかご内に設けられこの乗りかご内を照明する照明装置と、この照明装置の照明を制御する照明制御部とを具備したエレベータ扉の報知装置であって、
前記照明装置は照明色の異なる複数の照明光源を有し、かつ、前記照明制御部は、前記乗りかごの扉の開閉にもとづいて動作するタイマと、このタイマの動作により前記照明光源の点灯を制御する照明切替部とを有していることを特徴とするエレベータ扉の報知装置である。
【０００９】
また本発明によれば、前記照明色の異なる複数の照明光源は、前記乗りかご内の通常照明光源と戸閉予告光源とであることを特徴とするエレベータ扉の報知装置である。
【００１０】
本発明によれば、前記照明色の異なる複数の照明光源は、白色光源と赤色光源であることを特徴とするエレベータ扉の報知装置である。
【００１１】
また本発明によれば、前記タイマの動作により前記照明光源の点灯を制御する照明切替部により制御されて切替わる照明光源は、白色光源から赤色光源へ切替わることを特徴とするエレベータ扉の報知装置である。
【００１２】
また本発明によれば、前記白色光源から前記赤色光源へ切替えるために前記タイマに設定された時間は、前記乗りかごの扉が閉まるより以前の所定の時間に設定されていることを特徴とするエレベータ扉の報知装置である。
【００１３】
また本発明によれば、エレベータの乗りかご内に設けられこの乗りかご内を照明する照明装置を制御することによりエレベータ扉の開閉状態を報知するエレベータ扉の報知方法であって、
前記照明装置は、照明色の異なる複数の照明光源を具備し、それぞれの照明時間は、前記乗りかごの扉の開閉にもとづいて動作するタイマに設定された時間により制御されて切替わることを特徴とするエレベータ扉の報知方法である。
【００１４】
また本発明によれば、前記タイマに設定された時間によりにより制御されて切替わる照明光源は、通常照明光源から戸閉予告光源へ切替わることを特徴とするエレベータ扉の報知方法である。
【００１５】
また本発明によれば、前記タイマに設定された時間によりにより制御されて切替わる照明光源は、白色光源から赤色光源へ切替わることを特徴とするエレベータ扉の報知方法である。
【発明の効果】
【００１６】
本発明によれば、エレベータの乗りかごを利用する利用者に対して、乗りかごの扉の開閉状況を確実に知らせることができる。
【発明を実施するための最良の形態】
【００１７】
まず、最初に本発明の基本的な考え方について説明する。様々な騒音や照明が設置されている工場の内部で用いられているエレベータでは、作業者がフォークリフト等によりエレベータの乗りかごの中に、貨物を積み込んだり下ろしたりする搬入・搬出作業を行う際に、作業中の作業者に確実に、乗りかごの扉が戸閉するまでの持ち時間の状態を確実に報知する手段として、音声や視覚による方法が考えられる。
【００１８】
ただし、音声では騒音下は騒音にまぎれて確実に作業者に認識してもらうのは困難であるので不適当である。また、視覚による場合、単に明るさを変えるだけでは様々な照明光が乗りかごの内部に入り込んでいる状態では不十分である。
【００１９】
したがって、交通信号のように、視覚にとって明確な差異が必要になる。視覚にとって明確な差異を生じさせるには、例えば、白色光から赤色光のように照明光の色を大きく変え、乗りかご内の状態が明確に色の異なる状態にすればよいと考えられる。
【００２０】
つまり、エレベータの乗りかご内の照明色を変化させ、作業者に照明色の変化により、視覚によって作業者に確実に報知するようにする。
【００２１】
以下、本発明の実施の形態を図面を参照して説明する。
【００２２】
図１は、貨物用エレベータの乗りかごの一例の内部を示す説明図である。エレベータの乗りかご１は、一般的に箱形に形成されており、正面にが乗り降りするための扉２が設けられ、扉２（エレベータ扉）は扉制御装置（不図示）により開閉が制御されている。正面側の壁３には、行先階を登録するための釦や非常用の釦などの配置された操作盤４が設けられている。また、扉２の上には、エレベータの乗りかご１が現在どの階に位置しているのかを表示するかご位置表示装置５が設けられている。そして、乗りかご１の天井部６には照明装置７、７が設けられている。
【００２３】
照明装置７、７は、乗りかご１の天井部６に２組が取付けられている。図２に模式図を示すように、各照明装置７、７は、それぞれ、乗りかご１の内部を通常に照明して作業者が所定の作業を円滑におこなえるための通常照明光源である白色光源８（例えば、白色蛍光灯）と、作業者に扉２が所定時間後に戸閉することを予告する赤色光源９（例えば、赤色蛍光灯）が並設された一対をそれぞれ具備している。
【００２４】
なお、この場合、作業者に扉２が所定時間後に戸閉することを予告する、という意味には、作業者に扉２が戸開してから所定時間が経過したとの報知を受けるとの意味も含まれている。
【００２５】
図３は、照明装置７、７の制御についての説明図である。これらの制御はエレベータの乗りかご１に設けられている照明制御部１１によりおこなわれる。すなわち照明制御部１１には、ドアスイッチ１０、時間検出装置であるタイマ１２および照明切替部１３が設けられている。ドアスイッチ１０からの戸開信号Ｓ１（ドア信号）はタイマ１２に入力され、タイマ１２からの所定時間の経過に伴って出力される出力信号である設定時間経過信号Ｓ２は、照明切替部１３に入力される。この照明切替部１３からの照明切替信号Ｓ３は、照明装置７、７に入力され、所定の白色光源８か赤色光源９かが選択されて点灯し、乗りかご１の内部を照明する。なお、ドアスイッチ１０は、接触型でも光電式の非接触型でも用いることができる。
【００２６】
図４は、照明制御部１１と照明装置７、７の電気結線図である。図４において、Ｕ、Ｖは交流電源端子で、この交流電源端子の間には、扉２の全開時にＯＮとなるドアスイッチ１０と、このドアスイッチ１０のＯＮによりドア信号Ｓ１として戸開信号が発せられ、このドア信号Ｓ１を受けてカウントを開始し、予め設定される時間をカウントするタイマ１２が直列に接続されている。このタイマ１２は、例えば、たとえば３分に設定されている。
【００２７】
同様に電源Ｕ、Ｖ間には、照明切替部１３を構成しているタイマ１２の常開接点Ｔａに、直列に第１の照明灯として白色光源８、８が接続され、また、照明切替部１３を構成しているタイマ１２の常閉接点Ｔｂに、直列に第２の照明灯として赤色光源９、９が接続されている。
【００２８】
これらの電気的な接続により、エレベータの乗りかご１が昇降している状態では、扉２が戸閉されており、ドアスイッチ１０がＯＦＦとなっているのでタイマ１２は作動しない。したがって、常閉接点Ｔｂに直列に接続されている第１の照明灯である白色光源８、８が点灯して乗りかご１内を白色に照明している。一方、常開接点Ｔａに接続されている第２の照明灯である赤色光源９、９は消灯している。
【００２９】
エレベータの乗りかご１が、呼び出し等により所定のフロアに停止すると扉２が開く。扉２が全開するとドアスイッチ１０はＯＮになる。ドアスイッチ１０がＯＮになるとタイマ１２が作動する。タイマ１２が作動しても所定時間内は、エレベータが昇降している状態と同様に、常閉接点Ｔｂに直列に接続されている第１の照明灯である白色光源８、８が点灯して乗りかご１内を白色に照明している。一方、常開接点Ｔａに接続されている第２の照明灯である赤色光源９、９は消灯している。
【００３０】
タイマ１２は、作動してから予め設定してある所定時間（例えば、２分３０秒）が経過すると、常開接点Ｔａが閉じ、同時に、常閉接点Ｔｂが開くように設定されている。それにより、図５に示すように、常開接点Ｔａに接続されている第２の照明灯である赤色光源９、９が点灯して乗りかご１内を赤色に照明する。他方、常閉接点Ｔｂに直列に接続されている第１の照明灯ある白色光源８、８は消灯する。さらに所定時間経過（例えば、３０秒、扉２の閉止時間と連動して）すると、タイマ１２はリセットさる。それにより、常閉接点Ｔｂに直列に接続されている第１の照明灯ある白色光源８、８が点灯して乗りかご１内を照明し、一方、常開接点Ｔａに接続されている第２の照明灯である赤色光源９、９は消灯する。
【００３１】
なお、タイマ１２に予め設定される時間は、エレベータの乗りかご１の扉２が閉止するまでの予告時間であり、任意に設定することができる。また、第１の照明灯としては白色蛍光灯を用い、また、第２の照明灯としては赤色蛍光灯を用いたが、第２の照明灯としては赤色蛍光灯以外にも、黄色蛍光灯等の白色蛍光灯と顕著な差のある色の光を用いることができる。
【００３２】
次に、これらの構成によるエレベータで作業者が実際に作業する場合について説明する。なお、以下の説明で、エレベータの各部の名称と符号については図１〜図４を援用して説明し、その個々の説明を省略する。
【００３３】
例えば、エレベータの乗りかご１に荷物を積み込む搬入作業の場合、作業者は、まず、エレベータの乗りかご１の呼び出しボタン（不図示）を押して、エレベータの乗りかご１の到着を待つ。乗りかご１が作業者の待つフロアに到着し停止すると、扉２が開く。乗りかご１の内部は第１の照明灯である白色光源８、８により照明されている。
【００３４】
作業者は、フォークリフト（不図示）を乗りかご１の方向に前進させて、乗りかご１内へ荷物を積み込む動作をおこなう。この場合、荷物の量により、積まれている荷物を分割して乗りかご１の内部に積載したりする。また、必要に応じて、フォークリフト自体が乗りかご１の内部に進入・退出を繰り返したりする。
【００３５】
これらの作業中に、所定時間が経過すると乗りかご１内の照明は、第１の照明灯である白色光源８、８から、第２の照明灯である赤色光源９、９に切り替わり、乗りかご１の内部が赤色照明になる。それにより、作業者は所定の時間（例えば、２分３０秒）がきたことを視覚により報知される。また、作業者は扉２の閉止時間までの残り時間（例えば、３０秒）が少ないことを視覚情報により確実に認識することができる。その際、作業者は、所定の作業が終了している場合には、フォークリフトを乗りかご１から退室あるいは離脱させる。
【００３６】
乗りかご１内の照明が第２の照明灯である赤色光源９、９に切り替わった後に、所定時間（例えば、３０秒）が経過すると、乗りかご１の扉２はブザー音の鳴動と共に戸閉する。そして、乗りかご１は呼び出しに応じて所定方向への昇降を開始する。
【００３７】
なお、もし、所定の作業が終了していない場合は、マニアル操作により乗りかご１の扉２の常開スイッチ（不図示）を押して、扉２を常開状態にして所定の作業を終了させる。作業が終了後にリセットボタン（不図示）を押して乗りかご１の扉２を閉止する。
【００３８】
（変形例）
上述の実施の形態では、所定時間が経過すると乗りかご１内の照明は、第１の照明灯である白色光源８、８から、第２の照明灯である赤色光源９、９に切り替わり、乗りかご１の内部が赤色照明になるようにした。この実施例でも第１の照明灯である白色光源８、８から、第２の照明灯である赤色光源９、９に切り替わること自体は同様であるが、赤色光源９、９に切り替わった状態をより顕著に報知するためには、赤色光源９、９を点滅するようにする。
【００３９】
また、この赤色光源９、９を点滅は、様々なモードでおこなうことができる。例えば、３０秒間の赤色光源９、９の照明中は、ＯＮ−ＯＦＦを一定の繰り返しにしてもよいし、後半の１５秒間だけ点滅するようにしてもよいし、最期の１０秒については交通信号のようにこう繰り返しにしてもよい。その他様々なモードを任意に設定することができる。
【００４０】
以上に説明したように、上述の実施の形態によれば、工場内のように騒音が高い環境でも、エレベータの利用者に対して、乗りかごの扉の開閉状態を確実に報知することのできる。
【００４１】
また、エレベータの乗りかごの内部に荷物を搬入・搬出作業をフォークリフト等でおこなっている作業者に対しても、視覚により乗りかごの扉の閉止時刻を予告でき、それにより確実に注意を喚起することができる。したがって、乗りかごの扉の閉止時の利用者の安全性や、フォークリフト等の乗りかごの扉への接触による扉の損傷を未然に防止することができる。
【図面の簡単な説明】
【００４２】
【図１】エレベータの乗りかごの一例の内部を示す説明図。
【図２】照明装置の模式図。
【図３】本発明のエレベータ扉の報知装置の照明装置の制御についての説明図。
【図４】照明制御部と照明装置との電気結線図。
【図５】赤色光源の点灯状態の説明図。
【符号の説明】
【００４３】
１…乗りかご、
２…扉、
７…照明装置、
８…白色光源、
９…赤色光源、
１０…ドアスイッチ、
１１…照明制御部、
１２…タイマ、
１３…照明切替部
【図１】
2005067836.tif 000003
【図２】
2005067836.tif 000004
【図３】
2005067836.tif 000005
【図４】
2005067836.tif 000006
【図５】
2005067836.tif 000007